(57)【要約】【課題】  後続球が回転体の切欠部の後続球停留部にはまり込む現象事態を少なくでき、球噛みや、特定領域に停留球と後続球とが続けて投入されてしまうというような事態を少なくできる回転遊技部品を提供する。【解決手段】  本発明の回転遊技部品は、遊技盤の遊技領域に取付けられるベース２１と、ベース２１の前面に回転可能に設けられた回転体５２と、ベース２１の裏側に設けられた回転体の駆動源としてのモータと、回転体５２の周面６５から回転体の中心方向に窪んだ１個の球を取り込む切欠部６６と、回転体５２の前面６７を覆う光透過性の有る前面パネルとしての例えば下レンズ体２５とを備え、切欠部６６における回転体５２の周面６５から回転体５２の中心方向への深さＤが１個の球Ｐの直径よりも浅く形成された。【選択図】        図１
2006020741.tif 000002
【特許請求の範囲】
【請求項１】
遊技盤の遊技領域に取付けられるベースと、ベースの前面に回転可能に設けられた回転体と、ベースの裏側に設けられた回転体の駆動源と、回転体の周面から回転体の中心方向に窪んだ１個の球を取り込む切欠部と、回転体の前面を覆う光透過性の有る前面パネルとを備えた回転遊技部品において、切欠部における回転体の周面から回転体の中心方向への深さが１個の球の直径よりも浅く形成されたことを特徴とする回転遊技部品。
【請求項２】
遊技盤の遊技領域に取付けられるベースと、ベースの前面に回転可能に設けられた回転体と、ベースの裏側に設けられた回転体の駆動源と、回転体の周面から回転体の中心方向に窪んだ１個の球を取り込む切欠部と、回転体の前面を覆う光透過性の有る前面パネルとを備えた回転遊技部品において、切欠部には切欠部に入った球を前面パネルの方向に誘導する突起が設けられたことを特徴とする回転遊技部品。
【請求項３】
突起が、切欠部のベース側の周面側から切欠部の前面パネル側の底にかけて連続して滑らかに傾斜する傾斜面を備えたことを特徴とする請求項２に記載の回転遊技部品。
【請求項４】
切欠部が開放側を上に向けて切欠部内に１個の球を取り込んで停止している状態において、切欠部に入っている停留球と切欠部の端縁とで形成された接触部を備え、接触部が、切欠部に流下してくる後続球と接触して当該後続球を停留球と切欠部の端縁との間に停止させ、かつ、停止させた後続球の重心を切欠部の端縁の真上より遊技領域の端側に位置させたことを特徴とする請求項１ないし請求項３のいずれかに記載の回転遊技部品。
【発明の詳細な説明】
【技術分野】
【０００１】
本発明はパチンコ機の遊技領域に回転可能に設けられた回転体を備えた回転遊技部品であって、回転体が回転体の周面から回転体の中心方向に窪んだ１個の球を取り込む切欠部を備えたものに関する。
【背景技術】
【０００２】
遊技機枠に収納された遊技盤の前面に振り分け装置が取付けられ、振り分け装置が回転遊技部品を備えたパチンコ機が知られている（例えば、特許文献１等参照）。この回転遊技部品は回転体を備え、回転体を構成する円柱体の周面の一部には円柱体の周面から円柱体の中心方向に窪む断面弧状の切欠部が形成される。切欠部は回転体を形成する円柱体の軸中心に沿ってまっすぐに延長して設けられる。切欠部は１個の球を取り込むことができる。すなわち、回転体は、回転体の周面から回転体の中心方向に窪んだ形状に形成されて、１個の球を取り込む切欠部を備える。回転体は、円柱体の軸中心が遊技盤に取付けられた振り分け装置のベースの前面に直交する方向に沿った向きに配置されて、ベースの裏側に設けられた駆動源からの回転力を伝達する軸が軸中心に固定され、円柱体の軸中心を回転中心として回転する。すなわち、回転遊技部品は、遊技盤の遊技領域に取付けられる振り分け装置のベースと、ベースの前面に回転可能に設けられた回転体と、ベースの裏側に設けられた回転体の駆動源と、回転体の周面から回転体の中心方向に窪んだ１個の球を取り込む切欠部とを備える。
【特許文献１】特開２００４−４９８９８号公報
【発明の開示】
【発明が解決しようとする課題】
【０００３】
振り分け装置内において、図１１（ａ）に示すように特許文献１の回転体１００が振り分け装置２００の図外の上方の球取込口より流下してくる球Ｐを切欠部１０１で取り込むことができる位置に設けられていて、回転体１００が切欠部１０１内に球Ｐを取り込んだ状態で停止している場合に、次のような課題がある。特許文献１の回転遊技部品２０１の回転体１００の切欠部１０１の断面形状は、円柱体の中心側である切欠部１０１の底頂部１０２から円柱体の外周面に向けて左右に広がるような円弧の凹形状に形成され、切欠部１０１における回転体１００の周面から回転体１００の中心方向への深さＤ１が１個の球Ｐの直径の長さ以上に形成される。すなわち、１個の球Ｐが切欠部１０１に取り込まれた場合、その取り込まれた球Ｐの外周は、切欠部１０１の左右の端縁１０３；１０４を結ぶ円柱体の外周面に相当する外周面相当線１０５と同じかこの外周面相当線１０５より回転体１００の中心Ｃ側に位置する。１個の球Ｐが切欠部１０１に取り込まれて切欠部１０１に停留している状態において振り分け装置２００の上方の球取込口より取り込まれた後続球Ｐ１が振り分け装置のベース１０６の前面から前方に突出する隔壁１０７で区切られた球通路１０８を経由して切欠部１０１の方向に流下してきた場合には、通常は、後続球Ｐ１が停留球Ｐに衝突して隔壁１１０；１１１で区切られた球誘導路１１２；１１３により、後続球Ｐ１が図外の排出口に排出される。隔壁１１０；１１１は、先の球Ｐを取り込んだ状態で停止している回転体１００の切欠部１０１の左右の端縁１０３；１０４の位置より少し下方の位置で回転体１００の周面１０９の位置から若干離れた位置におけるベース１０６の前面から前方に突出しかつ左右に延長する。しかし、後続球Ｐ１が切欠部１０１に停留している停留球Ｐと切欠部１０１の左右の端縁１０３；１０４のいずれかとの間（以下、「後続球停留部」と称す）にはまり込むことがある。つまり、切欠部１０１が開放側を上に向けて切欠部１０１内に１個の球Ｐを取り込んで停止している状態において、切欠部１０１に入っている停留球Ｐの表面１１４と切欠部１０１の左右の端縁１０３；１０４のいずれかとで形成された接触部１１５を備え、接触部１１５が、切欠部１０１の方向に流下してくる後続球Ｐ１の表面１１６と接触して当該後続球Ｐ１を後続球停留部に停止させ、かつ、停止させた後続球Ｐ１の重心Ｇを、切欠部１０１の端縁１０３；１０４の真上より停留球Ｐ側に位置させる。このように、後続球停留部にはまり込んだ後続球Ｐ１の重心Ｇが、切欠部１０１の端縁１０３；１０４の位置より停留球Ｐ側に位置する場合には、回転体１００が回転したとしても、後続球Ｐ１が後続球停留部にはまり込んだ状態から抜けにくくなって球誘導路１１２；１１３に移動せず、排出口より排出されない場合がある。この後続球停留部に後続球Ｐ１がはまり込んでいる状態が継続すると、例えばさらなる後続球が切欠部１０１の方向に流下してきた場合に球噛みを生じたり、上記隔壁１１０や１１１で区画された回転体１００の左領域１２０、右領域１２１のうちの１つの領域に設定された特定領域に停留球Ｐと後続球Ｐ１とが続けて投入されてしまうことがある。三種と言われるパチンコ機では、特定領域に２個以上の球が続けて投入された場合には遊技者に有利な権利状態が消滅してしまうように設定されている場合があり、このように設定されている場合には、特定領域に停留球Ｐと後続球Ｐ１とが続けて投入されてしまって権利が消滅してしまうという問題があった。
【０００４】
また、図１１（ａ）及び図１１（ａ）のＡ−Ａ断面に相当する図１１（ｂ）に示すように、回転体１００の切欠部１０１の底面１２５は円弧面に形成されているので、上方から切欠部１０１内に入る球Ｐが底面１２５に衝突して上方（矢印Ｘ方向）に勢いよく跳ね返って切欠部１０１内から飛び出てしまうことがあった。尚、回転体１００の裏側には回転体支持ベース１３０が位置決め部１３１で位置決めされて取付けられ、この回転体支持ベース１３０に図外の駆動源からの回転力を伝達する軸１３２がブッシュ１３３を用いて連結固定される。回転体１００の前方には回転体１００の前面１３５を覆う光透過性の有る振り分け装置２００の前面パネル１３６が設けられる。
【課題を解決するための手段】
【０００５】
本発明は、遊技盤の遊技領域に取付けられるベースと、ベースの前面に回転可能に設けられた回転体と、ベースの裏側に設けられた回転体の駆動源と、回転体の周面から回転体の中心方向に窪んだ１個の球を取り込む切欠部と、回転体の前面を覆う光透過性の有る前面パネルとを備えた回転遊技部品において、切欠部における回転体の周面から回転体の中心方向への深さが１個の球の直径よりも浅く形成されたことを特徴とする。遊技盤の遊技領域に取付けられるベースと、ベースの前面に回転可能に設けられた回転体と、ベースの裏側に設けられた回転体の駆動源と、回転体の周面から回転体の中心方向に窪んだ１個の球を取り込む切欠部と、回転体の前面を覆う光透過性の有る前面パネルとを備えた回転遊技部品において、切欠部には切欠部に入った球を前面パネルの方向に誘導する突起が設けられたことも特徴とする。突起が、切欠部のベース側の周面側から切欠部の前面パネル側の底にかけて連続して滑らかに傾斜する傾斜面を備えたこと、切欠部が開放側を上に向けて切欠部内に１個の球を取り込んで停止している状態において、切欠部に入っている停留球と切欠部の端縁とで形成された接触部を備え、接触部が、切欠部に流下してくる後続球と接触して当該後続球を停留球と切欠部の端縁との間に停止させ、かつ、停止させた後続球の重心を切欠部の端縁の真上より遊技領域の端側に位置させたことも特徴とする。
【発明の効果】
【０００６】
本発明によれば、切欠部における回転体の周面から回転体の中心方向への深さが１個の球の直径よりも浅く形成されたので、後続球が後続球停留部にはまり込む深さが浅くなるので、後続球が後続球停留部にはまり込む現象事態を少なくでき、従って、球噛みや、特定領域に停留球と後続球とが続けて投入されてしまうというような事態を少なくできる。また、切欠部には切欠部に入った球を前面パネルの方向に誘導する突起を備えたので、切欠部に入った球を前面パネルの方向に誘導させることができ、球が切欠部から飛び出すことを防止できる。突起が、切欠部のベース側の周面側から切欠部の前面パネル側の底にかけて連続して滑らかに傾斜する傾斜面を備えたので、傾斜面により、球を前面パネルの方向でかつ下方向に誘導させることができ、切欠部からの球の飛び出しをより効果的に防止できる。接触部が、停留球と切欠部の端縁との間で形成された後続球停留部に停止させた後続球の重心を、切欠部の端縁の真上より遊技領域の端側に位置させたので、回転体が回転することにより、後続球が後続球停留部から外れやすくなり、後続球停留部に後続球を長い間係留するような状態を回避できる。従って、球噛みや、特定領域に停留球と後続球とが続けて投入されてしまうというような事態を少なくできる。
【発明を実施するための最良の形態】
【０００７】
図１−図８は、本発明における最良の形態である。図１は振り分け装置に設けられた回転遊技部品の回転体を示し、(ａ)は回転体及びその付近を正面から示し、(ｂ)は（ａ）のＡ−Ａ断面を示し、図２は振り分け装置を備えたパチンコ機を示し、図３は振り分け装置を分解して示し、図４は振り分け装置の外観を示し、図５は遊技盤に取付けられた振り分け装置を示し、図６は回転遊技部品を構成する回転体ユニットを示し、図７は回転体ユニットの外観を示し、図８は振り分け装置内の球経路を示す。
【０００８】
図２は三種と言われるパチンコ機１を図示している。パチンコ機１は、遊技盤２が遊技機枠３内に収納されて構成される。図２に図示された遊技盤２の前面４には図柄表示装置５、図柄始動入賞装置６、振り分け装置７、第三種入賞装置８、可変入賞装置９、一般入賞装置１０、風車１１、釘１２、ガイドレール１３などの遊技部品を備え、遊技盤２の裏側には図外の制御装置、球樋などの遊技部品を備える。遊技盤２の前面４の前方には光透過性の有る前面パネル１５が設けられる。振り分け装置７は回転遊技部品２０を備える。
【０００９】
図３〜図５に示すように、振り分け装置７は、遊技盤２の前面４に止ねじ４３で取付けられるベース２１と、ベース２１の前面２２に組み付けられる一対の開閉体２３；２３、上レンズ体２４、前面パネルとしての下レンズ体２５、左レンズ体２６、右レンズ体２７、前飾り２８からなる前部品２９と、ベース２１の裏面３１側からベース２１に組み付けられる開閉体駆動ユニット３２、上可動片ユニット３３、下可動片ユニット３４、回転体ユニット３５、及び裏カバー３６からなる裏部品３７とで構成される。すなわち、振り分け装置７は、特に、図４に示すように、ベース２１の前面２２に前部品２９が組み付けられ、ベース２１の裏面３１に裏部品３７が組み付けられて構成される。特に、図５に示すように、振り分け装置７は、遊技盤２に形成された逃げ孔３８に遊技盤２の前面４側から裏部品３７側が挿入されて、ベース２１の裏面３１に設けられた位置決め部材４０を遊技盤２の前面４に形成された位置決め孔４１にはめ込んで位置決めを行い、逃げ孔３８の周囲における遊技盤２の前面４にベース２１の裏面３１を接触させた状態でベース２１の取付貫通孔４２に止ねじ４３を通してベース２１を遊技盤２の前面４に締結することで、遊技盤２の前面４に取付けられる。
【００１０】
図６；７に示すように、回転体ユニット３５は、回転体ユニットベース５１と、回転体ユニットベース５１に組み付けられる回転体５２、回転体支持ベース５３、軸５４、ブッシュ５５、原点検出用回転体カム５６、駆動源としてのモータ５７からなる回転体駆動ユニット５８と、原点検出スイッチ基板５９、後述する外れ領域に設けられた球検出スイッチ６０、特定領域に設けられた球検出スイッチ６１、これらスイッチを保持するスイッチホルダ６２からなるスイッチユニット６３とで構成される。すなわち、回転体ユニット３５は、図７に示すように、回転体ユニットベース５１に回転体駆動ユニット５８とスイッチユニット６３とが組み付けられて構成される。
【００１１】
図１に示すように、回転体ユニット３５の回転体５２は、円柱体５２Ａから形成され、円柱体５２Ａの周面６５の一部に円柱体の周面６５から円柱体５２Ａの中心（軸中心）Ｃの方向に窪む断面弧状の切欠部６６を備える。切欠部６６は円柱体５２Ａの軸中心Ｃに沿って円柱体５２Ａの前面６７及び裏面６８にまっすぐに延長して前後に開放する。切欠部６６には１個の球Ｐを取り込むことができる。回転体支持ベース５３は、回転体５２を形成する円柱体５２Ａの円径と同径の円盤体により形成される。図６に示すように、回転体支持ベース５３の中央には回転体支持ベース５３の前面６９及び裏面７０に貫通するブッシュ取付孔７１が形成され、前面６９には回転体５２の裏面６８に形成された位置決め突起７２（図１（ｂ）参照）及び図外の係合孔及び係合突起と係合する位置決め突孔７３及び係合突起７４及び係合孔７５が形成される。従って、回転体支持ベース５３の前面６９側からブッシュ取付孔７１にブッシュ５５を取付けておき、回転体支持ベース５３の前面６９と回転体５２の裏面６８とが上記係合孔と係合突起とのはめ合いにより互いに取付けられ、ブッシュ５５の軸取付穴７９（図１（ｂ）参照）と軸５４の前部とがはめ合いにより互いに取付けられ、軸５４の後部とモータ５７の回転軸５７Ａとが原点検出用回転体カム５６を介して互いに結合される。以上により、モータ５７の回転駆動力で回転体５２が回転する。回転体ユニット３５は、振り分け装置７のベース２１の裏側から取付けられ、回転体５２がベース２１に形成された引き出し孔２１ａ（図３参照）を通過してベース２１の前面２２に引き出され、回転体支持ベース５３の前面６９とベース２１の前面２２とが同一面上で一致する状態に組み付けられる。これにより、回転体５２の前面６７には回転体５２の前面６７を覆う光透過性の有る前面パネルとしての下レンズ体２５が位置する。
【００１２】
さらに、回転体支持ベース５３の前面６９には回転体５２の切欠部６６内に突出して、切欠部６６に入った球Ｐを前面パネルとしての下レンズ体２５の方向に誘導する突起７６が設けられる。突起７６は、回転体支持ベース５３の周面７７側から中心側に向けて下る傾斜面７８を有する。
【００１３】
図２に戻り、皿１６からパチンコ機１内の図外の発射装置に取り込まれた球は発射操作装置（ハンドル）１７の人による操作で発射装置より発射され、ガイドレール１３に沿ってガイドレール１３と前面パネル１５と遊技盤２の前面４とで囲まれた遊技領域１８に入る。三種のパチンコ機１では、遊技領域１８に投入された球が図柄始動入賞装置６に入賞すると、この入賞信号が制御装置で検出され、制御装置が入賞信号の検出タイミングで当たり外れ抽選を行うとともに図柄表示装置５の図柄１９を変動させる。制御装置は抽選の当たりで図柄表示装置５の図柄を当たり図柄で停止させるとともに振り分け装置７の上部に設けられた左右の開閉体２３；２３を互いに離れる方向に予め決められた回数だけ開閉する。開閉体２３；２３の開いている間に、開閉体２３；２３間の隙間から振り分け装置７内に球Ｐが入った後、球Ｐが特定の条件をクリアして特定の球検出器で検出されると、遊技者に有利な権利が設定される
【００１４】
図８を参照し、振り分け装置７内に投入される球Ｐの経路を説明する。開閉体２３；２３間を経由して振り分け装置７内に入ってきた球Ｐが球検出器８０を通過したことを示す検出信号が制御装置に送られ、制御装置は一定の球数の賞を遊技者に付与するとともに、球検出器８０の下方に位置する球保持筒８１の下に設けられた上可動片８２をソレノイドなどの駆動源を駆動して決められた時間だけ前方に突出させる。よって、上可動片８２が前方に突出している間は、球検出器８０を通過した球Ｐを球保持筒８１に１個だけ保持でき、開閉体２３；２３間を経由して取り込まれた２個目以降の球は球保持筒８１に保持されている球Ｐに衝突して左右の上排出口８３；８３より排出される。決められた時間の経過後、制御装置は駆動源を駆動して上可動片８２を後方に縮退させる。これにより、球保持筒８１に保持されていた球Ｐは球通路８４を流下して下可動片８５の方向に流下する。下可動片８５は例えば制御装置が球検出器８０からの検出信号を検出した以後ソレノイドなどの駆動源を制御することで、常時前後に出没駆動される。従って、下可動片８５が前方に突出しているタイミングのときに球Ｐが流下してきた場合には球Ｐは下可動片８５に導かれて図の左側の中排出口８６へと排出される。下可動片８５が後方に没しているタイミングのときに球Ｐが流下してきた場合には球Ｐは下可動片８５の下方に位置する球検出器８７を通過して回転体５２の切欠部６６内に入り込む。球Ｐが球検出器８７からの球検出信号が制御装置に出力されると、制御装置は球検出信号を入力したタイミングで当たり外れ抽選を行うとともに、図柄表示装置５の図柄１９（図２参照）を変動させる。そして、当たり外れ抽選の結果が当たりであれば、図柄表示装置５の図柄１９を当たり図柄で停止させ、回転体５２を図８の右側に回転させる。これにより球Ｐは特定領域を通過して当たり口９０に流下して図外の特定の球検出器で検出される。この検出信号が制御装置に出力されると、制御装置が当たり権利の発生を認識する。制御装置は当たり権利の発生を認識した場合に例えば図柄表示装置５の画面に「右打ちせよ」というようなガイドを表示する。右打ちにより球が第三種始動入賞装置８に入賞すれば制御装置が大入賞口９を前後開閉扉９ａを開閉する当たり遊技を行う。当たり外れ抽選の結果が外れであれば、図柄表示装置５の図柄１９を外れ図柄で停止させ、回転体５２を図８の左側の回転させる。これにより回転体５２の切欠部６６の球Ｐは外れ領域１２０を通過して外れ口８９に流下する。回転体５２は、通常時は、図８のように切欠部６６の開放側を上方に向けた位置で停止されていて、切欠部６６内に球Ｐを取り込んだ後も当たり外れ抽選による図柄が図柄表示装置５に確定表示されるまで図８のように切欠部６６の開放側を上方に向けた位置で停止したままで切欠部６６に球Ｐが停留されている。従って、図１に示すように、切欠部６６に球Ｐが停留されている状態において後続球Ｐ１が流下してくる場合がある。この場合、通常は、後続球Ｐ１は切欠部６６に停留されている停留球Ｐに衝突して、隔壁１１０；１１１で区切られた球誘導路１１２；１１３により排出口８８；８８に排出される。
【００１５】
本形態では、図１に示すように、回転体５２の切欠部６６の断面形状が、円柱体５２Ａの中心Ｃ側である切欠部６６の底頂部６６Ｅから円柱体５２Ａの周面６５に向けて左右に広がるような弧状の凹部に形成され、切欠部６６の間口、すなわち、図１の切欠部６６の左右の端縁９１；９２間の水平距離の長さは１個の球Ｐの直径より長い。そして、切欠部６６における回転体５２の周面６５から回転体５２の中心方向への深さＤが１個の球Ｐの直径よりも浅く形成される。すなわち、切欠部６６の底頂部６６Ｅから回転体５２の外周面相当線９３までの垂直距離の長さＤは１個の球Ｐの直径より短い。従って、１個の球Ｐが切欠部６６に取り込まれた場合、その取り込まれた球Ｐの外周は、切欠部６６の左右の端縁９１；９２を結ぶ円柱体５２Ａの周面６５に相当する外周面相当線９３より突出する。本形態でも、後続球Ｐ１が切欠部６６に停留している停留球Ｐと切欠部６６の左右の端縁９１；９２のいずれかとの間（以下、「後続球停留部」と称す）にはまり込むことがあるが、はまり込む深さＨが図１１の構成よりも浅くなるので、後続球Ｐ１が排出口８８に排出されやすくなる。従って、後続球Ｐ１が後続球停留部にはまり込む現象事態を少なくでき、従って、球噛みや、特定領域１２１に停留球Ｐと後続球Ｐ１とが続けて投入されてしまうというような事態を少なくできる。
【００１６】
また、図１のように、後続球Ｐ１が後続球停留部にはまり込んだ場合でも、切欠部６６に入っている停留球Ｐの表面９４と切欠部６６の左右の端縁９１；９２のいずれかとで形成された接触部９５が、切欠部６６に流下してくる後続球Ｐ１と接触して当該後続球Ｐ１を後続球停留部に停止させ、かつ、停止させた後続球Ｐ１の重心Ｇを切欠部６６の端縁９１；９２の真上より遊技領域１８の端側（図１の左右側）に位置させる。例えば、図１においては、接触部９５が、停留球Ｐと切欠部６６の端縁９１との間で形成された後続球停留部に停止させた後続球Ｐ１の重心Ｇを、切欠部６６の端縁９１の真上より左側に位置させた構成を示している。このように構成されたことで、回転体５２が回転することにより、後続球Ｐ１が後続球停留部から外れやすくなり、後続球停留部に後続球Ｐ１を長い間係留するような状態を回避できる。従って、球噛みや、特定領域１２１に停留球Ｐと後続球Ｐ１とが続けて投入されてしまうというような事態を少なくできる。
【００１７】
さらに、本形態では、突起７６の傾斜面７８は、切欠部６６のベース２１側の周面６５側から切欠部６６の下レンズ体２５（前面パネル）側の底にかけて連続して滑らかに傾斜する傾斜面である。本形態では、上述のように切欠部６６の深さを浅くしたとともに突起７６を備えたので、切欠部６６の深さを浅くした構成であっても、切欠部６６に入った球Ｐを図１（ｂ）の矢印Ｆに示すように下レンズ体２５の方向に誘導させることができるので、球Ｐが切欠部６６から飛び出すことを防止できる。
【００１８】
すなわち、切欠部６６の深さを浅くするとともに突起７６を備えたので、後続球停留部に後続球Ｐ１を長い間係留するような状態を回避できるとともに切欠部６６から球Ｐが飛び出しにくい回転体５２を備えた回転遊技部品２０を得ることができる。また、突起７６は下レンズ体２５の方向に突出するものであればよいが、突起７６として、切欠部６６のベース２１側の周面６５側から切欠部６６の下レンズ体２５（前面パネル）側の底にかけて連続して滑らかに傾斜する傾斜面７８を備えたものを用いた場合には、傾斜面７８により、球を下レンズ体２５の方向でかつ下方向に誘導させることができ、切欠部６６からの球の飛び出しをより効果的に防止できる。尚、本形態において回転遊技部品２０は、ベース２１と、切欠部６６を有する回転体５２と、回転体５２の駆動源としてのモータ５７と回転体５２の前面６７を覆う光透過性の有る前面パネルとしての下レンズ体２５とで構成される。
【００１９】
他の例１
図９に他の例１を示す。尚、先に示した最良の形態の構成と同じ構成については同一符号を付してその説明を省略する。すなわち、遊技盤２の遊技領域１８に取付けられるベース２１と、ベース２１の前面２２に回転可能に設けられた回転体５２と、ベース２１の裏側に設けられた回転体の駆動源としてのモータ５７と、回転体５２の周面６５から回転体の中心方向に窪んだ１個の球Ｐを取り込む切欠部６６と、回転体５２の前面６７を覆う光透過性の有る前面パネルとしての例えば下レンズ体２５とを備え、切欠部６６における回転体５２の周面６５から回転体５２の中心方向への深さが１個の球Ｐの直径よりも浅く形成された構成の回転遊技部品２０Ａとした。この回転遊技部品２０Ａによれば、後続球Ｐ１が後続球停留部にはまり込む深さＨが浅くなるので、後続球Ｐ１が後続球停留部にはまり込む現象事態を少なくでき、従って、球噛みや、特定領域１２１に停留球Ｐと後続球Ｐ１とが続けて投入されてしまうというような事態を少なくできる。
【００２０】
他の例２
図１０に他の例２を示す。尚、先に示した最良の形態及び図１１の構成と同じ構成については同一符号を付してその説明を省略する。すなわち、遊技盤２の遊技領域１８に取付けられるベース２１と、ベース２１の前面２２に回転可能に設けられた回転体１００と、ベース２１の裏側に設けられた回転体１００の駆動源としてのモータ５７と、回転体１００の周面１０９から回転体１００の中心方向に窪んだ１個の球Ｐを取り込む切欠部１０１と、回転体１００の前面１３５を覆う光透過性の有る前面パネル１３６とを備え、切欠部１０１には切欠部１０１に入った球Ｐを前面パネル１３６の方向に誘導する突起７６が設けられた構成の回転遊技部品２０Ｂとした。すなわち、図１１の回転体１００の切欠部１０１に突起７６設けた。この回転遊技部品２０Ｂによれば、突起７６を備えたので、切欠部１０１に入った球Ｐを前面パネル１３６の方向に誘導させることができ、球Ｐが切欠部１０１から飛び出すことを防止できる。
【産業上の利用可能性】
【００２１】
回転体支持ベース５３は用いないで、回転体５２に軸を連結して回転させてもよい。また、突起７６は切欠部６６の底に設けてもよい。
【図面の簡単な説明】
【００２２】
【図１】本発明の最良の形態による回転遊技部品の回転体を示す図であって、(ａ)は回転体及びその付近を示す正面図、(ｂ)は（ａ）のＡ−Ａ断面図。
【図２】最良の形態による回転遊技部品を組み込んだ振り分け装置を備えたパチンコ機を示す正面図。
【図３】最良の形態による回転遊技部品を組み込んだ振り分け装置の分解図。
【図４】最良の形態による回転遊技部品を組み込んだ振り分け装置の斜視図。
【図５】最良の形態による回転遊技部品を組み込んだ振り分け装置が遊技盤に取付けられた状態を示す断面図。
【図６】最良の形態による回転遊技部品を構成する回転体ユニットの分解図。
【図７】最良の形態による回転遊技部品を構成する回転体ユニットの外観図。
【図８】最良の形態による回転遊技部品を組み込んだ振り分け装置内の球経路を示す図。
【図９】他の例１による回転遊技部品の回転体を示す正面図。
【図１０】他の例２による回転遊技部品の回転体を示す正面図。
【図１１】従来の回転遊技部品の回転体を示す図であって、(ａ)は回転体及びその付近を示す正面図、(ｂ)は（ａ）のＡ−Ａ断面図。
【符号の説明】
【００２３】
１  パチンコ機、２  遊技盤、１８  遊技領域、２１  ベース、
２５  下レンズ体（前面パネル）、５２  回転体、５７  モータ（駆動源）、
６６  切欠部、７６  突起、７８  傾斜面、９１；９２  切欠部の端縁、９５  接触部。
【図１】
2006020741.tif 000003
【図２】
2006020741.tif 000004
【図３】
2006020741.tif 000005
【図４】
2006020741.tif 000006
【図５】
2006020741.tif 000007
【図６】
2006020741.tif 000008
【図７】
2006020741.tif 000009
【図８】
2006020741.tif 000010
【図９】
2006020741.tif 000011
【図１０】
2006020741.tif 000012
【図１１】
2006020741.tif 000013